(57)【要約】【課題】携帯コードリーダ端末にて読み取ったコード情報を読み込むたびに蓄積でき、またその端末の貸出状況を一元管理することができ、更にその貸出状況に応じて、利用者別のコード情報を蓄積して管理することが可能な情報管理システム、及びプログラムを提供する。【解決手段】情報管理システム２００を、携帯コードリーダ端末３、アクセスポイント５、情報収集装置７、貸出管理装置９、及び情報管理サーバ１１にて構成し、携帯コードリーダ端末３の貸出管理情報を貸出管理データベース１５にて管理し、また読み取ったコード情報を読取情報データベース１３で管理する。更に、読取情報と貸出管理情報とから、携帯コードリーダ端末３の貸出状況に応じた利用者別のコード情報をクリップ情報として生成し、クリップ情報データベース１７にて蓄積記憶する。【選択図】図２３
2008217411.tif 000002
【特許請求の範囲】
【請求項１】
商品に付されたコード情報を読み取るコード情報読取手段を備えた携帯コードリーダ端末と、
前記商品の陳列された施設内に設置され、前記携帯コードリーダ端末との間で通信が可能な複数のアクセスポイントと、
前記施設内に設置され、前記複数のアクセスポイントと互いに通信接続され、それらのアクセスポイントから送信される情報を収集する情報収集装置と、
前記情報収集装置とネットワークを介して互いに通信可能な情報管理サーバと、を備え、
前記携帯コードリーダ端末は、前記コード情報読取手段によりコード情報を読み取る都度、読み取ったコード情報に自端末の端末ＩＤを対応付けるとともに、コード情報の読み取りに関する識別情報である読取ＩＤを対応付けることにより読取情報を生成し、前記アクセスポイント及び前記情報収集装置を介して前記情報管理サーバへ送信し、
前記情報管理サーバは、受信した読取情報を読取情報データベースに蓄積して記憶することにより管理する情報管理システムであって、
前記情報収集装置は、
前記携帯コードリーダ端末から前記複数のアクセスポイントを介して受信した複数の読取情報に、同一の読取情報が重複しないようにフィルタリングする読取情報フィルタ手段を備えることを特徴とする情報管理システム。
【請求項２】
商品に付されたコード情報を読み取るコード情報読取手段と、前記商品の陳列された施設内に設置されたアクセスポイントとの通信手段と、自端末の端末ＩＤを記録したＩＣタグと、を備えた携帯コードリーダ端末と、
前記ＩＣタグに記録された端末ＩＤを読み取るＩＣリーダを備えた貸出管理装置と、
前記貸出管理装置とネットワークを介して互いに通信可能な情報管理サーバと、
前記携帯コードリーダ端末の利用者を特定可能な利用者ＩＤを取得する利用者情報取得手段と、を備えた情報管理システムであって、
前記貸出管理装置は、
前記ＩＣリーダにより読み取った前記携帯コードリーダ端末の端末ＩＤと前記利用者ＩＤとを対応付けた貸出管理情報に基づいて、前記携帯コードリーダ端末の貸出処理または返却処理を実行する処理実行手段と、
前記処理実行手段による処理の結果得た前記貸出管理情報を前記情報管理サーバに送信する貸出管理情報送信手段と、を備え、
前記情報管理サーバは、
前記貸出管理装置から送信される貸出管理情報を蓄積して記憶する貸出管理データベースを備えることを特徴とする情報管理システム。
【請求項３】
商品に付されたコード情報を読み取るコード情報読取手段と、自端末の端末ＩＤを記録したＩＣタグを備えた携帯コードリーダ端末と、
前記商品の陳列された施設内に設置され、前記携帯コードリーダ端末との間で通信が可能なアクセスポイントと、
前記施設内に設置され、前記アクセスポイントと互いに通信接続され、そのアクセスポイントから送信される情報を収集する情報収集装置と、
前記情報収集装置とネットワークを介して互いに通信可能な情報管理サーバと、を備え、
前記携帯コードリーダ端末は、前記コード情報読取手段によりコード情報を読み取る都度、読み取ったコード情報に自端末の端末ＩＤを対応付けるとともに、コード情報の読み取りに関する識別情報である読取ＩＤを対応付けることにより読取情報を生成し、前記アクセスポイント及び前記情報収集装置を介して前記情報管理サーバへ送信し、
前記情報管理サーバは、受信した読取情報を読取情報データベースに蓄積して記憶することにより管理する情報管理システムであって、
前記携帯コードリーダ端末の端末ＩＤと、その携帯コードリーダ端末の利用者を特定する利用者ＩＤとを対応付けて貸出管理情報として管理する貸出管理手段と、
前記貸出管理手段により管理される貸出管理情報と、前記読取情報データベースに記憶されている読取情報と、に基づき、前記携帯コードリーダ端末の貸出状況に応じて、前記コード情報と前記利用者ＩＤとを対応付けたクリップ情報を生成し、管理するクリップ情報管理手段と、
を備えることを特徴とする情報管理システム。
【請求項４】
前記携帯コードリーダ端末は、
前記コード情報の読み取り回数を計数する読み取り回数カウンタ、または時刻を計時する計時手段を更に備え、
前記読取ＩＤは、前記読み取り回数カウンタによる読み取り回数情報、または前記計時手段による時刻情報のいずれかであることを特徴とする請求項１または３に記載の情報管理システム。
【請求項５】
前記アクセスポイントは、
自端末のアクセスポイントＩＤを保持するアクセスポイントＩＤ保持手段と、
前記形態コードリーダ端末から受信した読取情報に、前記アクセスポイントＩＤ保持手段により保持されたアクセスポイントＩＤを追記する読取情報追記手段と、を更に備え、
前記読取情報追記手段によりアクセスポイントＩＤが追記された読取情報を、前記情報収集装置に送信することを特徴とする請求項１または３に記載の情報管理システム。
【請求項６】
前記利用者情報取得手段は、前記情報管理サーバとのネットワークを介した通信接続が可能な携帯電話であり、
前記貸出管理装置の処理実行手段は、
前記貸出処理として、前記ＩＣタグに記録された端末ＩＤを前記ＩＣリーダにより読み取った際に、その端末ＩＤを前記携帯電話にて読み取り可能な形態に変換して表示させる第１の貸出処理実行手段を更に備え、
前記携帯電話は、前記貸出管理装置に表示された変換後の端末ＩＤを読み取り、読み取った端末ＩＤを該携帯電話の利用者ＩＤと対応付けた貸出管理情報を生成して、前記情報管理サーバに送信し、
前記情報管理サーバは、前記携帯電話から送信される貸出管理情報を受信する都度、前記貸出管理データベースに蓄積された貸出管理情報を更新して記憶する第１の記憶制御手段を備えることを特徴とする請求項２に記載の情報管理システム。
【請求項７】
前記利用者情報取得手段は、前記利用者ＩＤが記録された、前記ＩＣリーダにて情報の読み取りが可能なＩＣカードであり、
前記貸出管理装置の処理実行手段は、
前記貸出処理として、前記ＩＣタグに記録された端末ＩＤを前記ＩＣリーダにより読み取った際に、前記ＩＣカードを前記ＩＣリーダに読み取らせる旨を表示させる第２の貸出処理実行手段と、
前記ＩＣリーダにより読み取った端末ＩＤと前記利用者ＩＤとを対応付けて貸出管理情報を生成し、前記情報管理サーバに送信する第１の貸出管理情報送信手段と、を更に備え、
前記情報管理サーバは、
前記貸出管理装置から送信される貸出管理情報を受信する都度、前記貸出管理データベースに蓄積された貸出管理情報を更新して記憶する第２の記憶制御手段を備えることを特徴とする請求項２に記載の情報管理システム。
【請求項８】
前記貸出管理装置の処理実行手段は、
前記返却処理として、前記貸出管理情報を参照し、前記ＩＣリーダにて読み取った前記端末ＩＤに対応付けられている利用者ＩＤを削除することにより貸出管理情報を更新し、前記情報管理サーバに送信する第２の貸出管理情報送信手段を更に備え、
前記情報管理サーバは、
前記貸出管理装置から送信される貸出管理情報を受信する都度、前記貸出管理データベースに蓄積された貸出管理情報を更新して記憶する第３の記憶制御手段を備えることを特徴とする請求項２に記載の情報管理システム。
【請求項９】
携帯コードリーダ端末にて読み取られたコード情報を含む読取情報が該携帯コードリーダ端末から送信される都度、該読取情報を複数のアクセスポイントを介して受信するとともに、該読取情報をネットワークを介して接続された情報管理サーバに対して送信する情報収集装置であって、
前記携帯コードリーダ端末から前記複数のアクセスポイントを介して受信した複数の読取情報に、同一の読取情報が重複しないようにフィルタリングする読取情報フィルタ手段を備えることを特徴とする情報収集装置。
【請求項１０】
商品に付されたコード情報を読み取る携帯コードリーダ端末の貸出状況を管理する貸出管理装置であって、
前記携帯コードリーダ端末の端末ＩＤを取得する端末ＩＤ取得手段と、
前記携帯コードリーダ端末の利用者を特定する利用者ＩＤを取得する利用者情報取得手段と、
前記端末ＩＤ取得手段により読み取った端末ＩＤと前記利用者情報取得手段により取得した利用者ＩＤとを対応付けた貸出管理情報に基づいて、前記携帯コードリーダ端末の貸出処理または返却処理を実行する処理実行手段と、
前記処理実行手段による処理の結果得た前記貸出管理情報を、ネットワークを介して通信接続された情報管理サーバに送信する貸出管理情報送信手段と、
を備えることを特徴とする貸出管理装置。
【請求項１１】
携帯コードリーダ端末にて読み取られたコード情報を含む読取情報が該携帯コードリーダ端末から送信される都度、該読取情報を複数のアクセスポイントを介して受信するとともに、該読取情報をネットワークを介して接続された情報管理サーバに対して送信する情報収集装置であって、
前記情報管理サーバから、前記携帯コードリーダ端末の端末ＩＤとその利用者を特定する利用者ＩＤとを対応付けた貸出管理情報を取得する貸出管理情報取得手段と、
前記貸出管理情報取得手段により取得された貸出管理情報と、前記読取情報と、に基づき、前記携帯コードリーダ端末の貸出状況に応じて、前記コード情報と前記利用者ＩＤとを対応付けたクリップ情報を生成するクリップ情報生成手段と、
前記クリップ情報生成手段により生成されたクリップ情報を前記情報管理サーバへ送信するクリップ情報送信手段と、
を備えることを特徴とする情報収集装置。
【請求項１２】
コンピュータを請求項９または１１に記載の情報収集装置として機能させるためのプログラム。
【請求項１３】
コンピュータを請求項１０に記載の貸出管理装置として機能させるためのプログラム。
【発明の詳細な説明】
【技術分野】
【０００１】
本発明は、商品に付されたコード情報を読み取る携帯コードリーダ端末と、その携帯コードリーダ端末にて読み取ったコード情報や、携帯コードリーダ端末の貸出に関する情報を管理する情報管理システム、情報収集装置、貸出管理装置、及びプログラムに関する。
【背景技術】
【０００２】
従来より、大規模小売店においては、バーコード等を利用して商品に個別のコード情報を付し、バーコードリーダ等を用いてそのコード情報を読み取ることにより会計や商品管理に利用するといった情報管理システムが広く利用され、開発されている。
このような情報管理システムは、主に店舗側のレジスタにバーコードリーダが接続されており、利用客が商品をレジスタに持ち運んで、コード情報を読み取るものである。
【０００３】
また近年は、携帯電話を用いて商品に付されたバーコードを読み取り、携帯電話からサーバへコード情報を送信することにより、商品の管理等を行う情報管理システムも開示されている（特許文献１参照）。
【０００４】
【特許文献１】特開２００２−１９７５３９号公報
【０００５】
特許文献１に示される携帯電話用のバーコードエントリーシステムでは、携帯電話にバーコードリーダを接続し、携帯電話からネットワークを介してサーバにアクセスしてバーコード情報を送受信することで、商品情報等を携帯電話にて利用する技術が開示されている。
【発明の開示】
【発明が解決しようとする課題】
【０００６】
しかしながら、特許文献１に示されるバーコードエントリーシステムでは、バーコードの読み取りに携帯電話を利用しているため、携帯電話の使用が拒まれるような施設では利用しにくいものである。また、利用者にとっては、携帯電話会社と契約する必要が生じたり、サーバとの情報の送受信の都度、通信料やネットワークへの接続サービス料等のコスト負担が生じたりしてしまう。
一方、管理者側では、商品のコード情報が利用者の端末で読み取られる都度、サーバで受信して迅速に管理することや、より簡便に管理できる通信設備を望んでいる。
【０００７】
本発明はこのような問題に鑑みてなされたもので、その第１の目的とするところは、携帯コードリーダ端末にてコード情報を読み込むたびに蓄積することが可能な情報管理システム、情報収集装置、及びプログラムを提供することにある。
また、第２の目的とするところは、施設内で利用する携帯コードリーダ端末の貸出状況を一元管理することが可能な情報管理システム、貸出管理装置、及びプログラムを提供することにある。
また、第３の目的とするところは、施設内で利用する携帯コードリーダ端末の貸出状況に応じて、利用者別のコード情報を、そのコード情報を読み込むたびに蓄積して管理することが可能な情報管理システム、情報収集装置、及びプログラムを提供することにある。
【課題を解決するための手段】
【０００８】
前述した目的を達成するために第１の発明は、商品に付されたコード情報を読み取るコード情報読取手段を備えた携帯コードリーダ端末と、前記商品の陳列された施設内に設置され、前記携帯コードリーダ端末との間で通信が可能な複数のアクセスポイントと、前記施設内に設置され、前記複数のアクセスポイントと互いに通信接続され、それらのアクセスポイントから送信される情報を収集する情報収集装置と、前記情報収集装置とネットワークを介して互いに通信可能な情報管理サーバと、を備え、前記携帯コードリーダ端末は、前記コード情報読取手段によりコード情報を読み取る都度、読み取ったコード情報に自端末の端末ＩＤを対応付けるとともに、コード情報の読み取りに関する識別情報である読取ＩＤを対応付けることにより読取情報を生成し、前記アクセスポイント及び前記情報収集装置を介して前記情報管理サーバへ送信し、前記情報管理サーバは、受信した読取情報を読取情報データベースに蓄積して記憶することにより管理する情報管理システムであって、前記情報収集装置は、前記携帯コードリーダ端末から前記複数のアクセスポイントを介して受信した複数の読取情報に、同一の読取情報が重複しないようにフィルタリングする読取情報フィルタ手段を備えることを特徴とする情報管理システムである。
【０００９】
また、第２の発明は、商品に付されたコード情報を読み取るコード情報読取手段と、前記商品の陳列された施設内に設置されたアクセスポイントとの通信手段と、自端末の端末ＩＤを記録したＩＣタグと、を備えた携帯コードリーダ端末と、前記ＩＣタグに記録された端末ＩＤを読み取るＩＣリーダを備えた貸出管理装置と、前記貸出管理装置とネットワークを介して互いに通信可能な情報管理サーバと、前記携帯コードリーダ端末の利用者を特定可能な利用者ＩＤを取得する利用者情報取得手段と、を備えた情報管理システムであって、前記貸出管理装置は、前記ＩＣリーダにより読み取った前記携帯コードリーダ端末の端末ＩＤと前記利用者ＩＤとを対応付けた貸出管理情報に基づいて、前記携帯コードリーダ端末の貸出処理または返却処理を実行する処理実行手段と、前記処理実行手段による処理の結果得た前記貸出管理情報を前記情報管理サーバに送信する貸出管理情報送信手段と、を備え、前記情報管理サーバは、前記貸出管理装置から送信される貸出管理情報を蓄積して記憶する貸出管理データベースを備えることを特徴とする情報管理システムである。
【００１０】
また第３の発明は、商品に付されたコード情報を読み取るコード情報読取手段と、自端末の端末ＩＤを記録したＩＣタグを備えた携帯コードリーダ端末と、
前記商品の陳列された施設内に設置され、前記携帯コードリーダ端末との間で通信が可能なアクセスポイントと、前記施設内に設置され、前記アクセスポイントと互いに通信接続され、そのアクセスポイントから送信される情報を収集する情報収集装置と、前記情報収集装置とネットワークを介して互いに通信可能な情報管理サーバと、を備え、前記携帯コードリーダ端末は、前記コード情報読取手段によりコード情報を読み取る都度、読み取ったコード情報に自端末の端末ＩＤを対応付けるとともに、コード情報の読み取りに関する識別情報である読取ＩＤを対応付けることにより読取情報を生成し、前記アクセスポイント及び前記情報収集装置を介して前記情報管理サーバへ送信し、前記情報管理サーバは、受信した読取情報を読取情報データベースに蓄積して記憶することにより管理する情報管理システムであって、前記携帯コードリーダ端末の端末ＩＤと、その携帯コードリーダ端末の利用者を特定する利用者ＩＤとを対応付けて貸出管理情報として管理する貸出管理手段と、前記貸出管理手段により管理される貸出管理情報と、前記読取情報データベースに記憶されている読取情報と、に基づき、前記携帯コードリーダ端末の貸出状況に応じて、前記コード情報と前記利用者ＩＤとを対応付けたクリップ情報を生成し、管理するクリップ情報管理手段と、を備えることを特徴とする情報管理システムである。
【００１１】
また、第４の発明は、第１または第３の発明の情報管理システムにおいて、前記携帯コードリーダ端末は、前記コード情報の読み取り回数を計数する読み取り回数カウンタ、または時刻を計時する計時手段を更に備え、前記読取ＩＤは、前記読み取り回数カウンタによる読み取り回数情報、または前記計時手段による時刻情報のいずれかであることを特徴としている。
【００１２】
また、第５の発明は、第１または第３の発明の情報管理システムにおいて、前記アクセスポイントは、自端末のアクセスポイントＩＤを保持するアクセスポイントＩＤ保持手段と、前記形態コードリーダ端末から受信した読取情報に、前記アクセスポイントＩＤ保持手段により保持されたアクセスポイントＩＤを追記する読取情報追記手段と、を更に備え、前記読取情報追記手段によりアクセスポイントＩＤが追記された読取情報を、前記情報収集装置に送信することを特徴としている。
【００１３】
また、第６の発明は、第２の発明の情報管理システムにおいて、前記利用者情報取得手段は、前記情報管理サーバとのネットワークを介した通信接続が可能な携帯電話であり、前記貸出管理装置の処理実行手段は、前記貸出処理として、前記ＩＣタグに記録された端末ＩＤを前記ＩＣリーダにより読み取った際に、その端末ＩＤを前記携帯電話にて読み取り可能な形態に変換して表示させる第１の貸出処理実行手段を更に備え、前記携帯電話は、前記貸出管理装置に表示された変換後の端末ＩＤを読み取り、読み取った端末ＩＤを該携帯電話の利用者ＩＤと対応付けた貸出管理情報を生成して、前記情報管理サーバに送信し、前記情報管理サーバは、前記携帯電話から送信される貸出管理情報を受信する都度、前記貸出管理データベースに蓄積された貸出管理情報を更新して記憶する第１の記憶制御手段を備えることを特徴としている。
【００１４】
また、第７の発明は、第２の発明の情報管理システムにおいて、前記利用者情報取得手段は、前記利用者ＩＤが記録された、前記ＩＣリーダにて情報の読み取りが可能なＩＣカードであり、前記貸出管理装置の処理実行手段は、前記貸出処理として、前記ＩＣタグに記録された端末ＩＤを前記ＩＣリーダにより読み取った際に、前記ＩＣカードを前記ＩＣリーダに読み取らせる旨を表示させる第２の貸出処理実行手段と、前記ＩＣリーダにより読み取った端末ＩＤと前記利用者ＩＤとを対応付けて貸出管理情報を生成し、前記情報管理サーバに送信する第１の貸出管理情報送信手段と、を更に備え、前記情報管理サーバは、前記貸出管理装置から送信される貸出管理情報を受信する都度、前記貸出管理データベースに蓄積された貸出管理情報を更新して記憶する第２の記憶制御手段を備えることを特徴としている。
【００１５】
また、第８の発明は、第２の情報管理システムにおいて、前記貸出管理装置の処理実行手段は、前記返却処理として、前記貸出管理情報を参照し、前記ＩＣリーダにて読み取った前記端末ＩＤに対応付けられている利用者ＩＤを削除することにより貸出管理情報を更新し、前記情報管理サーバに送信する第２の貸出管理情報送信手段を更に備え、前記情報管理サーバは、前記貸出管理装置から送信される貸出管理情報を受信する都度、前記貸出管理データベースに蓄積された貸出管理情報を更新して記憶する第３の記憶制御手段を備えることを特徴としている。
【００１６】
また、第９の発明は、携帯コードリーダ端末にて読み取られたコード情報を含む読取情報が該携帯コードリーダ端末から送信される都度、該読取情報を複数のアクセスポイントを介して受信するとともに、該読取情報をネットワークを介して接続された情報管理サーバに対して送信する情報収集装置であって、前記携帯コードリーダ端末から前記複数のアクセスポイントを介して受信した複数の読取情報に、同一の読取情報が重複しないようにフィルタリングする読取情報フィルタ手段を備えることを特徴とする情報収集装置である。
【００１７】
また、第１０の発明は、商品に付されたコード情報を読み取る携帯コードリーダ端末の貸出状況を管理する貸出管理装置であって、前記携帯コードリーダ端末の端末ＩＤを取得する端末ＩＤ取得手段と、前記携帯コードリーダ端末の利用者を特定する利用者ＩＤを取得する利用者情報取得手段と、前記端末ＩＤ取得手段により読み取った端末ＩＤと前記利用者情報取得手段により取得した利用者ＩＤとを対応付けた貸出管理情報に基づいて、前記携帯コードリーダ端末の貸出処理または返却処理を実行する処理実行手段と、前記処理実行手段による処理の結果得た前記貸出管理情報を、ネットワークを介して通信接続された情報管理サーバに送信する貸出管理情報送信手段と、を備えることを特徴とする貸出管理装置である。
【００１８】
また、第１１の発明は、携帯コードリーダ端末にて読み取られたコード情報を含む読取情報が該携帯コードリーダ端末から送信される都度、該読取情報を複数のアクセスポイントを介して受信するとともに、該読取情報をネットワークを介して接続された情報管理サーバに対して送信する情報収集装置であって、前記情報管理サーバから、前記携帯コードリーダ端末の端末ＩＤとその利用者を特定する利用者ＩＤとを対応付けた貸出管理情報を取得する貸出管理情報取得手段と、前記貸出管理情報取得手段により取得された貸出管理情報と、前記読取情報と、に基づき、前記携帯コードリーダ端末の貸出状況に応じて、前記コード情報と前記利用者ＩＤとを対応付けたクリップ情報を生成するクリップ情報生成手段と、前記クリップ情報生成手段により生成されたクリップ情報を前記情報管理サーバへ送信するクリップ情報送信手段と、を備えることを特徴とする情報収集装置である。
【００１９】
また、第１２の発明は、コンピュータを請求項９または１１に記載の情報収集装置として機能させるためのプログラムである。
また、第１３の発明は、コンピュータを請求項１０に記載の貸出管理装置として機能させるためのプログラムである。
【発明の効果】
【００２０】
本発明によれば、携帯コードリーダ端末にてコード情報を読み込むたびに蓄積することが可能な情報管理システム、情報収集装置、及びプログラムを提供できる。
また、施設内で利用する携帯コードリーダ端末の貸出状況を一元管理することが可能な情報管理システム、貸出管理装置、及びプログラムを提供できる。
また、施設内で利用する携帯コードリーダ端末の貸出状況に応じて、利用者別のコード情報を、そのコード情報を読み込むたびに蓄積して管理することが可能な情報管理システム、情報収集装置、及びプログラムを提供できる。
【発明を実施するための最良の形態】
【００２１】
以下図面に基づいて、本発明に係る情報管理システムの実施形態を詳細に説明する。
【００２２】
〔第１の実施の形態〕
図１は、第１の実施の形態に係る情報管理システム１の全体概要を示す図である。
図１に示すように、情報管理システム１は、店舗、美術館、展示場等の各種施設２３内にて利用される複数の携帯コードリーダ端末３ａ、３ｂ、３ｃ（以下、携帯コードリーダ端末３という）と、施設２３内に複数設置されるアクセスポイント５ａ、５ｂ、５ｃ（以下、アクセスポイント５という）と、施設２３内に設置される情報収集装置７と、施設２３の外部からインターネット等のネットワークを介して情報収集装置７と通信可能な情報管理サーバ１１と、から構成される。
【００２３】
携帯コードリーダ端末３は、施設２３内に陳列される品物に付された、例えばバーコードやＱＲコード（二次元バーコード）等のコード情報を読み取る携帯型のコード情報読取用端末であり、読み取ったコード情報等をアクセスポイント５に対して逐次送信する機能を有する。
この携帯コードリーダ端末３にてコード情報を読み取る際は、利用者はバーコードリーダ３４を品物に付されたバーコードに対してあてがい、操作ボタン３６を操作してコード情報を読み取る。また、各携帯コードリーダ端末３ａ、３ｂ、３ｃには夫々個別の識別情報である端末ＩＤが記録されたＩＣタグ３５が貼着されている。
【００２４】
アクセスポイント５は、携帯コードリーダ端末３から送信されるコード情報等を受信し、情報収集装置７へ逐次送信する機能を有する。携帯コードリーダ端末３とアクセスポイント５とは施設２３内に多数設置されていることや、通信回数が多数にわたることから、消費電力の少ないアクティブタグ（後述）を利用することが望ましい。また、情報収集装置７は広い施設２３内の情報を１箇所で収集するため、アクセスポイント５との通信設備としては、より通信範囲の広い無線ＬＡＮ（Ｌｏｃａｌ  Ａｒｅａ  Ｎｅｔｗｏｒｋ）を利用することが望ましい。
【００２５】
情報収集装置７は、複数のアクセスポイント５ａ、５ｂ、５ｃから夫々送信される情報を収集し、また情報管理サーバ１１とインターネット等のネットワークを介して通信を行う機能を有する。
【００２６】
情報管理サーバ１１は、後述する読取情報データベース１３を有し、複数の施設に夫々設置されている情報収集装置７と通信することにより、各施設における各携帯コードリーダ端末３の読取情報を管理する機能を有する。
【００２７】
図２は、読み取り情報データベース１３に蓄積される読取情報の例を示す図である。
図２に示すように、読取情報とは、携帯コードリーダ端末３で読み取ったコード情報に、読取に関する識別情報である読取ＩＤと、自端末の端末ＩＤとを対応付けたものである。読み取りに関する識別情報とは、例えば、読み取り動作の回数や時刻等を利用した、各読み取り動作を識別するための情報である。
【００２８】
これらの読取情報は、情報管理サーバ１１で一元管理されるだけでなく、各施設２３の情報収集装置７に対して必要に応じてフィードバックすることで、様々な商品管理に利用される。
【００２９】
次に、各装置についての構成及び機能について説明する。
まず、携帯コードリーダ端末３のハードウェア構成及び機能について、図３から図５を参照して説明する。
図３は、携帯コードリーダ端末３のハードウェア構成図、図４は携帯コードリーダ端末３のＲＡＭ３３に記憶される内容を示す図、図５は携帯コードリーダ端末３の機能ブロック図である。
【００３０】
図３に示すように、携帯コードリーダ端末３は、ＣＰＵ（Ｃｅｎｔｒａｌ  Ｐｒｏｃｃｅｓｓｉｎｇ  Ｕｎｉｔ）３１、ＲＯＭ（Ｒｅａｄ  Ｏｎｌｙ  Ｍｅｍｏｒｙ）３２、ＲＡＭ（Ｒａｎｄｏｍ  Ａｃｃｅｓｓ  Ｍｅｍｏｒｙ）３３、バーコードリーダ３４、操作ボタン３６、アクティブタグ３７、時計３８等がバス３９を介して接続される。またＩＣタグ３５は携帯コードリーダ端末３の筐体の任意の位置に貼着されている。
【００３１】
ＣＰＵ３１は、ＲＯＭ３２に格納されるプログラムをＲＡＭ３３上のワークメモリ領域に呼び出して実行し、バス３９を介して接続された各装置を駆動制御し、携帯コードリーダ３が行うコード読取処理（図１３参照；後述）を実現する。
ＲＯＭ３２は、不揮発性メモリであり、携帯コードリーダ端末３にて実行されるプログラムやデータ等を恒久的に保持している。
【００３２】
ＲＡＭ３３は、揮発性メモリであり、ＲＯＭ３２からロードしたプログラム、データ等を一時的に保持するとともに、ＣＰＵ３１が各種処理を行う為に使用するワークエリアを備える。
【００３３】
バーコードリーダ３４は、ラインセンサ等により構成される受光部によって光学的にバーコードを読み取る装置であり、バーコードから読み取ったコード情報をＣＰＵ３１へ出力する。
ＩＣタグ３５は、制御部、メモリ等を搭載したＩＣチップ及びアンテナ等を備えた小型の記憶媒体であり、ＩＣリーダとの非接触通信が可能なものである。メモリに記録された情報はＩＣリーダにて読み取られる。このＩＣタグ３５には、携帯コードリーダ端末３の個別の識別情報として、端末ＩＤが記録され、携帯コードリーダ端末３に貼着されている。
【００３４】
操作ボタン３６は、コード情報読み取り動作を行う際にユーザに操作されるボタンであり、押下されると信号をＣＰＵ３１に出力する。
アクティブタグ３７は、微弱無線を利用して数メートル程度の通信範囲で無線通信を行うための通信Ｉ／Ｆである。
時計３８は、携帯コードリーダ端末３に内蔵される時計であり、現在時刻を計時する。
【００３５】
図４に示すように、ＲＡＭ３３は、自端末の端末ＩＤを保持する端末ＩＤメモリ３３１、読取に関する識別情報である読取ＩＤを計数する読取ＩＤカウンタ３３２、読み取ったコード情報を記憶するコード情報メモリ３３３、及び後述する読取情報生成手段（図５参照）にて生成される読取情報を記憶する読取情報メモリ３３４を備える。
【００３６】
次に携帯コードリーダ端末３の機能について説明する。
図５に示すように、携帯コードリーダ端末３は、コード情報読取手段３０１、読取ＩＤ生成手段３０２、読取情報生成手段３０３、及び読取情報送信手段３０４を備える。
【００３７】
コード情報読取手段３０１は、ユーザにより操作ボタン３６が操作されると、バーコードリーダ３４を駆動して、商品に付されたコード情報を読み取り、コード情報メモリ３３３に記憶する。
【００３８】
読取ＩＤ生成手段３０２は、コード情報読取手段３０１によるコード情報読み取りの都度、新たな読取ＩＤを生成する。すなわち、ＣＰＵ３１は、コード情報を読み取る都度、読取回数を計数する読取ＩＤカウンタ３３２を参照して前回までの読取回数をインクリメントし（＋１）、新たな読取ＩＤを生成する。または、コード情報を読み取った時刻を時計３８から取得し、この時刻情報を読取ＩＤとしてもよい。
【００３９】
読取情報生成手段３０３は、コード情報読取手段３０１によって読み取ったコード情報に、読取ＩＤ生成手段３０２によって生成された読取ＩＤを付加するとともに、端末ＩＤメモリ３３１に記録されている自端末の端末ＩＤを付加し、これらコード情報と読取ＩＤと端末ＩＤとを対応付けたものを読取情報として生成する。
【００４０】
読取情報送信手段３０４は、読取情報生成手段３０３により生成された読取情報を直ちにアクセスポイント５に対して送信する。実際には、通信エラーを回避するため同一の読取情報を複数回送信するようにしてもよい。
【００４１】
次に、アクセスポイント５のハードウェア構成及び機能について図６から図８を参照して説明する。
図６は、アクセスポイント５のハードウェア構成図、図７はアクセスポイント５のＲＡＭ５３の内容を示す図、図８はアクセスポイント５の機能ブロック図である。
【００４２】
図６に示すように、アクセスポイント５は、ＣＰＵ５１、ＲＯＭ５２、ＲＡＭ５３、記憶部５４、通信Ｉ／Ｆ部５５、及びアクティブタグレシーバ５６等が、バス５７を介して接続される。
【００４３】
ＣＰＵ５１は、ＲＯＭ５２に格納されるプログラムをＲＡＭ５３上のワークメモリ領域に呼び出して実行し、バス５７を介して接続された各装置を駆動制御し、アクセスポイント５が行う読取情報送受信処理（図１４参照）を実現する。
【００４４】
記憶部５４は、ＣＰＵ５１が実行するプログラム、プログラム実行に必要なデータ、ＯＳ（オペレーティングシステム）等が格納される。プログラムに関しては、ＯＳに相当する制御プログラムや、後述の処理に相当するアプリケーションプログラムが格納されている。
これらの各プログラムコードは、必要に応じて読み出されてＲＡＭ５３に移され、ＣＰＵ５１に読み出されて各種の手段として実行される。
【００４５】
通信Ｉ／Ｆ部５５は、通信制御装置、通信ポート等を有し、アクセスポイント５と無線ＬＡＮにて接続された情報処理装置７との通信を制御する。
アクティブタグレシーバ５６は、携帯コードリーダ端末３との間で微弱無線による通信を行うための通信Ｉ／Ｆであり、携帯コードリーダ端末３のアクティブタグ３７から発信される電波を常に監視して、情報を受信する。
【００４６】
図７に示すように、アクセスポイント５のＲＡＭ５３は、自端末の端末ＩＤを保持するアクセスポイントＩＤメモリ５３１、情報収集装置７の識別情報（例えば、ＩＰアドレス等）である情報収集装置ＩＤを記憶する情報収集装置ＩＤメモリ５３２、及び携帯コードリーダ端末３から受信した読取情報を記憶する読取情報メモリ５３３を備える。
【００４７】
次にアクセスポイント５の機能について図８を参照して説明する。
図８に示すように、アクセスポイント５は、読取情報受信手段５０１、読取情報記憶手段５０２、読取情報判定手段５０３、読取情報追記手段５０４、及び読取情報送信手段５０５を備える。
【００４８】
読取情報受信手段５０１は、携帯コードリーダ端末３から送信される読取情報を受信する。すなわちＣＰＵ５１は、アクティブタグレシーバ５６を制御し、所定の通信範囲内にある携帯コードリーダ端末３から読取情報を受信する。
【００４９】
読取情報記憶手段５０２は、読取情報受信手段５０１によって受信した読取情報をＲＡＭ５３の読取情報メモリ５３３に記憶する。
携帯コードリーダ端末３からは同一の読取情報が複数回送信される場合もあるため、読取情報判定手段５０３は、読取情報メモリ５３３に記憶された読取情報に重複があるか否かを判定し、重複する場合は二つ目以降の読取情報を削除する。携帯コードリーダ端末３からの読取情報の送信が１回の場合は、この読取情報判定手段５０３はなくてもよい。
【００５０】
読取情報追記手段５０４は、ＲＡＭ５３のアクセスポイントＩＤメモリ５３１を参照して、読取情報に対して自端末のアクセスポイントＩＤを追記する。
アクセスポイントＩＤを読取情報に更に追記することで、アクセスポイント５の設置位置情報も把握できるようになり、ユーザがどこで商品を確認したのかを的確に管理できるようになる。
【００５１】
読取情報送信手段５０５は、ＲＡＭ５３の情報収集装置ＩＤメモリ５３２を参照して、登録された情報収集装置ＩＤを有する情報収集装置７に対して、読取情報を送信する。すなわちＣＰＵ５１は、通信Ｉ／Ｆ部５５を制御し、無線ＬＡＮを介して情報収集装置７に読取情報を送信する。読取情報の送信は、読取情報受信手段５０１が読取情報を受信する都度行う。
【００５２】
次に、情報収集装置７のハードウェア構成及び機能について図９から図１１を参照して説明する。
図９は、情報収集装置７のハードウェア構成図、図１０は情報収集装置７のＲＡＭ７３の内容を示す図、図１１は情報収集装置７の機能ブロック図である。
【００５３】
図９に示すように、情報収集装置７は、ＣＰＵ７１、ＲＯＭ７２、ＲＡＭ７３、記憶部７４、入力部７５、表示部７６、及び通信Ｉ／Ｆ部７７等が、バス７８を介して接続されるものであり、一般的なコンピュータが情報収集装置７として利用される。
【００５４】
ＣＰＵ７１は、記憶部７４、ＲＯＭ７２、記録媒体等に格納されるプログラムをＲＡＭ７３上のワークメモリ領域に呼び出して実行し、バス７８を介して接続された各装置を駆動制御し、情報処理装置７が行う後述するフィルタリング処理（図１５参照）を実現する。
【００５５】
記憶部７４は、ＨＤＤであり、ＣＰＵ７１が実行するプログラム、プログラム実行に必要なデータ、ＯＳ等が格納される。プログラムに関しては、ＯＳに相当する制御プログラムや、後述のフィルタリング処理等に相当するアプリケーションプログラムが格納されている。
【００５６】
入力部７５は、データの入力を行い、例えば、キーボード、マウス等のポインティングデバイス、テンキー等の入力装置を有する。入力部７５を介して、コンピュータに対して、操作指示、動作指示、データ入力等を行うことができる。
表示部７６は、ＣＲＴモニタ、液晶パネル等のディスプレイ装置、ディスプレイ装置と連携してコンピュータのビデオ機能を実現するための論理回路等（ビデオアダプタ等）を有する。
【００５７】
通信Ｉ／Ｆ部７７は、通信制御装置、通信ポート等を有し、コンピュータとネットワーク１９間の通信を媒介する通信インタフェースであり、ネットワークを介して、他のコンピュータ（情報管理サーバ１１）間との通信制御を行う。
【００５８】
。
図１０に示すように、情報収集装置７のＲＡＭ７３は、情報管理サーバ１１の識別情報（例えば、ＩＰアドレス等）であるサーバＩＤを記憶するサーバＩＤメモリ７３１、及び読取情報を記憶する読取情報メモリ７３２を備える。
【００５９】
次に情報収集装置７の機能について図１１を参照して説明する。
図１１に示すように、情報収集装置７は、読取情報受信手段７０１、読取情報記憶手段７０２、読取情報フィルタ手段７０３、及び読取情報送信手段７０４を備える。
【００６０】
読取情報受信手段７０１は、アクセスポイント５から送信される読取情報を受信する。すなわちＣＰＵ７１は、通信Ｉ／Ｆ部７７を制御し、アクセスポイント５から送信される読取情報を受信する。読取情報記憶手段７０２は、読取情報受信手段７０１によって受信した読取情報をＲＡＭ７３の読取情報メモリ７３２に記憶する。
【００６１】
読取情報フィルタ手段７０３は、ＲＡＭ７３の読取情報メモリ７３２に記憶された読取情報に重複があるか否かを判定し、重複する場合は二つ目以降の読取情報を削除する（フィルタリング）。これは、一つの携帯コードリーダ端末３が複数のアクセスポイント５の通信範囲内に入る場合に、同一の読取情報を複数のアクセスポイント５が共に受信することがあり、この場合には複数のアクセスポイント５から夫々同一の読取情報が重複して送信されるためである。
【００６２】
読取情報送信手段７０４は、ＲＡＭ７３のサーバＩＤメモリ７３１を参照し、登録されたサーバＩＤを有する情報管理サーバ１１に対して、読取情報フィルタ手段７０３にてフィルタリングされた読取情報を送信する。
【００６３】
なお、読取情報記憶手段７０２にて記憶する読取情報は、読取情報送信手段７０４にて情報管理サーバ１１に対して送信された後は、所定期間経過毎に消去するようにしてもよい。
【００６４】
次に、情報管理サーバ１１のハードウェア構成及び機能について図１、図９、及び図１２を参照して説明する。
【００６５】
情報管理サーバ１１は、図１に示すように読取情報データベース１３を備え、通信接続された全施設の情報処理装置７から送信される情報を管理するサーバ装置である。
また、情報管理サーバ１１のハードウェア構成は、図９に示す情報収集装置７と同様に、一般的なコンピュータを利用して構成される。
すなわち、情報管理サーバ１１は、ＣＰＵ１１１、ＲＯＭ１１２、ＲＡＭ１１３、記憶部１１４、入力部１１５、表示部１１６、及び通信Ｉ／Ｆ部１１７等が、バス１１８を介して接続される。
【００６６】
ＣＰＵ１１１は、記憶部１１４、ＲＯＭ１１２、記録媒体等に格納されるプログラムをＲＡＭ１１３上のワークメモリ領域に呼び出して実行し、バス１１８を介して接続された各装置を駆動制御し、情報管理サーバ１１が行う各種処理を実現する。
【００６７】
なお、ＲＯＭ１１２、ＲＡＭ１１３、記憶部１１４、入力部１１５、表示部１１６、通信Ｉ／Ｆ部１１７、及びバス１１８は、情報収集装置７のＣＰＵ７１、ＲＯＭ７２、ＲＡＭ７３、記憶部７４、入力部７５、表示部７６、及び通信Ｉ／Ｆ部７７、及びバス７８の各部と同様であるので、説明を省略する。
【００６８】
次に情報管理サーバ１１の機能について図１２を参照して説明する。
図１２は情報管理サーバ１１の機能ブロック図である。
図１２に示すように、情報収集装置７は、受信手段１１０１、記憶制御手段１１０２、及び送信手段１１３を備える。
【００６９】
受信手段１１０１は、通信Ｉ／Ｆ部１１７を制御して、情報収集装置７からネットワークを介して送信される読取情報を受信する。記憶制御手段１１０２は、受信手段１１０１にて受信した読取情報を読取情報データベース１３に蓄積して記憶する。図１２には読取情報データベース１３の他、貸出管理データベース１５、クリップ情報データベース１７が示されるが、貸出管理データベース１５及びクリップ情報データベース１７は後述する第２または第３の実施の形態で利用されるものである。送信手段１１０３は、読取情報データベース１３に蓄積して記憶された読取情報をネットワークを介して情報収集装置７またはインターネット等を介して接続された他のコンピュータに送信する。
【００７０】
次に、情報管理システム１の動作を説明する。
図１３は携帯コードリーダ端末３において実行されるコード読取処理の流れを説明するフローチャートであり、図１４はアクセスポイント５において実行される読取情報送受信処理の流れを説明するフローチャートであり、図１５は情報収集装置７において実行されるフィルタリング処理の流れを説明するフローチャートである。
以下、図１３〜図１５のフローチャートを参照しながら、情報管理システム１で実行される処理を説明する。
【００７１】
図１３に示すように、まず、携帯コードリーダ端末３のユーザにより操作ボタン３６が操作されると、ＣＰＵ３１はバーコードリーダ３４を駆動して商品に付されたバーコードからコード情報を読み取る（ステップＳ１１）。コード情報を読み取る際、ＣＰＵ３１は読取ＩＤカウンタ３３２をインクリメントし（＋１）、新たな読取ＩＤを生成する（ステップＳ１２）。次にＣＰＵ３１は読み取ったコード情報と、生成した読取ＩＤと、ＲＡＭ３３の端末ＩＤメモリ３３１に記憶されている端末ＩＤとを対応付けた読取情報を生成し（ステップＳ１３；図２）、直ちにアクセスポイント５に対して複数回繰り返して送信する（ステップＳ１４）。
【００７２】
アクセスポイント５は、アクティブタグレシーバ５６の通信範囲内にある携帯コードリーダ端末３から送信される信号を常に監視している。図１４に示すように、アクセスポイント５において、携帯コードリーダ端末３から読取情報を受信すると（ステップＳ２１）、アクセスポイント５のＣＰＵ５１は、読取情報に含まれる端末ＩＤと読取ＩＤとを参照して、受信した読取情報に通信内容の重複するものがあるか判定する（ステップＳ２２）。重複する場合は、既に携帯コードリーダ端末３からの読取情報の受信が完了したとして、そのままその読取情報についての送受信処理を終了する。重複しない場合は、受信した読取情報をＲＡＭ５３の読取情報メモリ５３３に記憶する（ステップＳ２３）。さらにアクセスポイントＩＤメモリ５３１から自端末のアクセスポイントＩＤを参照し、受信した読取情報にこのアクセスポイントＩＤを追記し（ステップＳ２４）、情報収集装置７に送信する（ステップＳ２５）。このとき、ＣＰＵ５１は情報収集装置ＩＤメモリ５３２を参照し、登録されている情報収集装置ＩＤ（例えば、ＩＰアドレス等）を有する情報収集装置７に対して読取情報を送信する。
【００７３】
情報収集装置７は、図１５に示すフィルタリング処理を行う。
すなわち、図１５に示すように、情報収集装置７がアクセスポイント５から読取情報を受信すると（ステップＳ３１）、情報収集装置７のＣＰＵ７１は受信した読取情報をＲＡＭ７３の読取情報メモリ７３２に記憶する（ステップＳ３２）。そして、受信した読取情報と同じ読取情報が読取情報メモリ７３２に記憶されているか否かを判定する（ステップＳ３３）。重複する読取情報がある場合は、二つ目以降の読取情報を削除し（ステップＳ３４）、情報管理サーバ１１に送信する（ステップＳ３５）。このとき、ＣＰＵ７１はサーバＩＤメモリ７３１を参照して、登録されているサーバＩＤ（例えば、ＩＰアドレス等）に対して読取情報を送信する。
【００７４】
情報管理サーバ１１では、読取情報を受信するとその読取情報を読取情報データベース１３に蓄積して記憶する。
【００７５】
以上説明したように、第１の実施の形態における情報管理システム１によれば、複数の携帯コードリーダ３にて読み取ったコード情報に読取ＩＤや端末ＩＤを対応付けて読取情報を生成するとともに、コード情報を読み取る都度、アクセスポイント５、及び情報収集装置５を介して情報管理サーバ１１に送信する。情報管理サーバ１１では、読取情報を受信する都度、その読取情報データベース１３に蓄積して記憶する。また、情報収集装置５は、複数のアクセスポイント５から複数の読取情報を受信するが、これらの複数の読取情報を重複しないようにフィルタリングして、情報管理サーバ１１へ送信する。
【００７６】
従って、携帯電話の使用が禁止される施設であっても、専用の携帯コードリーダ端末３を利用することで、コード情報の読み取り及び情報管理サーバ１１との通信が実現できる。また、利用者は携帯電話の料金等を気にせずに自由にコード情報の読み取りを行える。
また、複数の施設や広い施設で利用される場合であっても、携帯コードリーダ端末３によりコード情報の読み取り動作が行われる都度、その情報を迅速に蓄積して一元管理することが可能となる。
また、この情報管理システム１の利用範囲を拡張または縮小するなど、通信範囲を変更する場合には、アクセスポイント５の設置範囲を増減すれば、簡単に利用範囲を決定することができ、管理者にとって通信設備の管理が容易となる。
また、アクセスポイント５夫々が情報管理サーバ１１にアクセスする必要はなく、アクセスポイント５からの情報を情報収集装置７にて一旦収集して情報管理サーバ１１へ送信するため、通信設備の整備に関してのコスト負担も軽減する。
更に、各携帯コードリーダ端末３で読み取ったコード情報に、読取ＩＤや端末ＩＤを紐付け、情報収集装置１１にて重複のないようにフィルタリング処理するため、携帯コードリーダ端末３やアクセスポイント５が多数配置されても、複数の読取情報を混乱なく情報管理サーバ１１にて管理できる。
【００７７】
〔第２の実施の形態〕
次に、第２の実施の形態の情報管理システム１００について説明する。
図１６は、第２の実施の形態の情報管理システム１００の全体概要を示す図である。
図１６に示すように、情報管理システム１００は、施設２３内で利用される複数の携帯コードリーダ端末３ｄ、３ｅ（以下、携帯コードリーダ端末３という）と、施設２３に設置される貸出管理装置９と、この貸出管理装置９と施設２３の外部からインターネット等のネットワークを介して通信可能な情報管理サーバ１１と、ユーザの保持する携帯電話１９と、施設２３を利用するユーザの保持する会員カード２１と、により構成される。
携帯コードリーダ端末３については、第１の実施の形態と同様のものを利用する。
【００７８】
貸出管理装置９は、携帯コードリーダ端末３に貼着されたＩＣタグ３５に記録された端末ＩＤを読み取るＩＣリーダ９８を備えており、携帯コードリーダ端末３の貸し出しに関する処理を行う機能を有する。また、情報管理サーバ１１とインターネット等のネットワークを介して通信を行う機能を有する。
【００７９】
情報管理サーバ１１は、貸出管理データベース１５を有し、複数の施設に夫々設置されている貸出管理装置９または携帯電話１９と通信することにより、携帯コードリーダ端末３の貸出管理情報を一元管理する機能を有する。
情報管理サーバ１１のハードウェア構成は、第１の実施の形態と同様である（図９参照）。
【００８０】
図１７は、貸出管理データベース１５に蓄積される貸出管理情報の例を示す図である。
図１７に示すように、貸出管理情報とは、携帯コードリーダ端末３を利用するユーザを識別するユーザＩＤに、貸し出す携帯コードリーダ端末３の端末ＩＤを対応付けたものである。貸出管理情報は、実施態様により貸出管理装置９、携帯電話１９、または情報管理サーバ１１のいずれかで生成される。
【００８１】
この貸出管理情報は、情報管理サーバ１１で一元管理されるだけでなく、各施設２３の情報収集装置７（第１の実施の形態；図１）や貸出管理装置９に対して必要に応じてフィードバックすることで、商品管理、または貸出状況の管理に利用される。
【００８２】
携帯電話１９は、携帯コードリーダ端末３を貸し出す際に、その利用者のユーザＩＤを取得するために利用されるものであり、情報管理サーバ１１とのネットワークを介した通信機能や、貸出管理装置９の表示画面に表示されるＱＲコード等を読み取るＣＣＤカメラ等を備えた一般的な携帯電話である。
また携帯電話１９は、後述の貸出処理（図２０参照）において、貸出管理装置９の表示画面に表示される携帯コードリーダ端末３の端末ＩＤを示すＱＲコードを読み取って、この端末ＩＤと携帯電話のユーザＩＤとを対応付けた貸出管理情報を生成する機能を有する。
【００８３】
会員カード２１は、携帯コードリーダ端末３を貸し出す際にその利用者のユーザＩＤを取得するために利用されるものである。会員カード２１は、貸出管理装置９のＩＣリーダ９８にて情報の読取が可能なＩＣカードであり、ユーザＩＤが予め登録されたものである。ユーザＩＤとしては、例えば会員番号等が利用される。
【００８４】
次に、貸出管理装置９のハードウェア構成及び機能について図１８及び図１９を参照して説明する。
図１８は、貸出管理装置９のハードウェア構成図、図１９は貸出管理装置９の機能ブロック図である。
【００８５】
図１８に示すように、貸出管理装置９は、ＣＰＵ９１、ＲＯＭ９２、ＲＡＭ９３、記憶部９４、入力部９５、表示部９６、通信Ｉ／Ｆ部９７、及びＩＣリーダ９８等が、バス９９を介して接続されるものであり、一般的なコンピュータが貸出管理装置９として利用される。
【００８６】
ＣＰＵ９１は、記憶部９４、ＲＯＭ９２、記録媒体等に格納されるプログラムをＲＡＭ９３上のワークメモリ領域に呼び出して実行し、バス９９を介して接続された各装置を駆動制御し、貸出管理装置９が行う後述する貸出処理・返却処理（図２０、図２２参照）を実現する。
【００８７】
ＲＯＭ９２、ＲＡＭ９３、記憶部９４、入力部９５、表示部９６、及び通信Ｉ／Ｆ部９７の各部の説明は、第１の実施の形態の情報処理装置７のＲＯＭ７２、ＲＡＭ７３、記憶部７４、入力部７５、表示部７６、及び通信Ｉ／Ｆ部７７の各部と同様のものであるので説明を省略する。
【００８８】
ＩＣリーダ９８は、ＩＣタグとの非接触通信機能を有するメモリ読取装置であり、ＩＣタグが通信範囲に提示されると、そのＩＣタグに記録された情報を読み取り、ＣＰＵ９１へ出力する。
【００８９】
次に貸出管理装置７の機能について説明する。
図１２に示すように、貸出管理装置７は、端末ＩＤ読取手段９０１、貸出済み判定手段９０２、及び処理実行手段９１０を備える。処理実行手段９１０は、後述する第１の貸出処理の実行手段として、端末ＩＤ表示手段９０３を備え、後述する第２の貸出処理の実行手段として、登録命令表示手段９０４、会員ＩＤ読取手段９０５、及び送信手段９０６を備え、また、後述する返却処理の実行手段として、貸出管理情報更新手段９０７及び送信手段９０８を備える。
【００９０】
端末ＩＤ読取手段９０１は、携帯コードリーダ端末３に貼着されたＩＣタグ３５に記録された端末ＩＤを読み取る。
貸出済み判定手段９０２は、貸出管理データベース１５の貸出管理情報を参照して、端末ＩＤ読取手段９０１によって読み取った端末ＩＤが既に任意のユーザＩＤと対応付けられているかを判定する。
【００９１】
処理実行手段９１０は、貸出済み判定手段９０２による判定結果に応じた処理を実行する。具体的には、判定結果が貸出済みである場合には、第１の貸出処理または第２の貸出処理を実行し、判定結果が貸出済みでない場合には、返却処理を実行する。
【００９２】
第１の貸出処理を実行する場合は、端末ＩＤ表示手段９０３は、携帯コードリーダ端末３の端末ＩＤを携帯電話１９が読み取り可能な形態、例えばＱＲコード等に変換して表示部９６に表示させる。
【００９３】
また、第２の貸出処理を実行する場合は、登録命令表示手段９０４は、会員カードをＩＣリーダ９８に読み取らせる旨の表示を行い、ユーザに通知する。会員カードを所持していないユーザには会員登録をする旨の表示を行う。そして、会員ＩＤ読取手段９０５は、ＩＣリーダ９８にて会員カード２１のユーザＩＤを読み取り、このユーザＩＤと端末ＩＤ読取手段９０１にて読み取った端末ＩＤとを対応付けることにより貸出管理情報を生成する。送信手段９０６は、生成された貸出管理情報を情報管理サーバ１１へ送信する。
【００９４】
返却処理を実行する際は、貸出管理情報更新手段９０７は、貸出管理情報を参照し、端末ＩＤ読取手段にて読み取った端末ＩＤに対応付けられたユーザＩＤを削除することにより貸出管理情報を更新する。送信手段９０８は更新された貸出管理情報を情報管理サーバ１１へ送信する。
【００９５】
次に、情報管理システム１００の動作を説明する。
第２の実施の形態では、携帯コードリーダ端末３の利用者を特定するユーザＩＤを取得する手段として、携帯電話１９を利用する例と、会員カード２１を利用する例とがある。
【００９６】
図２０は、携帯電話１９を利用してユーザＩＤを取得する場合に、貸出管理装置９において実行される第１の貸出処理及び返却処理の流れを説明するフローチャートであり、図２１は情報管理サーバ１１にて実行される貸出管理装置９との通信処理の流れを説明するフローチャートである。図２２は会員カード２１を利用してユーザＩＤを取得する場合に、貸出管理装置９において実行される第２の貸出処理の流れを説明するフローチャートである。
以下、図２０〜図２２のフローチャートを参照しながら、情報管理システム１００で実行される処理を説明する。
【００９７】
まず、携帯電話１９を利用してユーザＩＤを取得する例を図２０を参照して説明する。ユーザは、借りようとする携帯コードリーダ端末３の他に携帯電話１９を所持している。
図２０に示すように、貸出管理装置９は情報管理サーバ１１から貸出管理情報を取得している（ステップＳ４１）。所定時間経過毎に情報管理サーバ１１に対して情報の送信要求を行うようにしてもよいし、情報管理サーバ１１側から貸出管理情報の更新の都度、自動的に送信するようにしてもよい。
【００９８】
次に、携帯コードリーダ端末３のＩＣタグ３５がユーザによりＩＣリーダ９８に提示されると、ＩＣリーダ９８はＩＣタグ３５に登録されている端末ＩＤを読み取り、ＣＰＵ９１へ出力する（ステップＳ４２）。次に、ＣＰＵ９１は、ステップＳ４１にて取得した貸出管理情報を参照し、読み取った端末ＩＤが任意のユーザＩＤに対応付けられているか否かを判定する（ステップＳ４３）。
【００９９】
端末ＩＤがユーザＩＤと対応付けられていない場合は、貸出済みでないのでステップＳ４４へ進む。ＣＰＵ９１は読み取った端末ＩＤをＱＲコードに変換し、表示部９６へ表示させる（ステップＳ４４）。その後、所定時間経過後は（ステップＳ４５）、処理を終了する。
【０１００】
携帯電話１９のユーザは、携帯コードリーダ端末３を借りるために、以下の貸出処理を行う。すなわち、携帯電話１９を操作して、ステップＳ４４にて貸出管理装置９の表示部９６に表示されたＱＲコードを読み取る。更に、携帯電話１９に対して所定の操作を行って情報管理サーバ１１へアクセスし、ＱＲコードに含まれる端末ＩＤ情報と、携帯電話１９のユーザＩＤとを送信する。
【０１０１】
次に情報管理サーバ１１での処理を図２１を参照して説明する。
情報管理サーバ１１は、携帯電話１９から端末ＩＤとユーザＩＤとを受信すると（ステップＳ６１）、貸出管理サーバ１５に記憶されている貸出管理情報から、受信した端末ＩＤが任意のユーザＩＤと対応付けられているか否かを判定し（ステップＳ６２）、対応付けられている場合には、貸出中である旨の警告情報を携帯電話１９に対して送信する（ステップＳ６７）。
端末ＩＤが任意のユーザＩＤと対応付けられていない場合は、受信した端末ＩＤとユーザＩＤとを対応付けて貸出管理情報とし（ステップＳ６３）、貸出管理データベース１５に蓄積して記憶する。
【０１０２】
次に、返却処理について説明する。貸出管理装置９では、図２０のステップＳ４３にて、端末ＩＤが任意のユーザＩＤと対応付けられており、貸出中であると判定した場合には、ステップＳ４６へ進み以降の返却処理を実行する。すなわち、ＣＰＵ９１は表示部９６に貸出中である旨の表示を行う。このとき、携帯コードリーダ端末３を返却するか否かの応答入力画面を表示し、ユーザからの指示を待機する。
その後、ユーザから入力部９５が操作され、返却指示が入力された場合には（ステップＳ４７）、ＣＰＵ９１は、ステップＳ４２にて読み取った端末ＩＤに対応付けられているユーザＩＤを貸出管理情報から削除する（ステップＳ４８）とともに、情報管理サーバ１１へこの端末ＩＤに対応付けられたユーザＩＤの削除要求を送信する。更新された貸出管理情報を情報管理サーバ１１へ送信するようにしてもよい（ステップＳ４９）。
【０１０３】
このとき、情報管理サーバ１１は、図２１に示すように、貸出管理装置９からユーザＩＤの削除要求を受信すると（ステップＳ６４）、貸出管理データベース１５に記憶された貸出管理情報から、受信したユーザＩＤの端末ＩＤとの対応付けを削除して、貸出管理情報を更新記憶する。貸出管理装置９から更新された貸出管理情報を受信する場合は、この更新された貸出管理情報を貸出管理データベース１５に更新記憶する（ステップＳ６５）。
【０１０４】
次に、図２２を参照して会員カード２１からユーザＩＤを取得することにより、貸出管理を行う例を説明する。携帯コードリーダ端末３を借りようとするユーザは、携帯コードリーダ端末３と会員カード２１とを所持している。
【０１０５】
図２２に示すように、まず、貸出管理装置９は貸出管理データベース１５から貸出管理情報を取得している（ステップＳ５１）。情報管理サーバ１１に対して、貸出管理情報の送信要求を送るようにしてもよいし、情報管理サーバ１１から自動的に貸出管理情報が送信されるようにしてもよい。
【０１０６】
次に、ユーザがＩＣリーダ９８に携帯コードリーダ端末３のＩＣタグをかざすと、貸出管理装置９は、携帯コードリーダ端末３の端末ＩＤをＩＣリーダ９８にて読み取る（ステップＳ５２）と、ＣＰＵ９１は取得している貸出管理情報を参照して、読み取った端末ＩＤが任意のユーザＩＤに対応付けられているか否かを判定することにより、この携帯コードリーダ端末３が貸出済みであるか否かを判定する（ステップＳ５３）。
貸出済みである場合は、図２０のステップＳ４６へ進み、ステップＳ４６からステップＳ４９の返却処理を実行する。
【０１０７】
ステップＳ５３にて、貸出済みでないと判定した場合は、ＣＰＵ９１は表示部９６に会員カードの提示要求を表示する（ステップＳ５４）。ＩＣリーダ９８にユーザの会員カードがかざされると、ＩＣリーダ９８は会員カード２１に記録されているユーザＩＤを読み取り（ステップＳ５５）、ステップＳ５２にて読み取った端末ＩＤと、ステップＳ５５にて読み取ったユーザＩＤと対応付けて貸出管理情報を生成し、情報管理サーバ１１へ送信する（ステップＳ５６）。
【０１０８】
情報管理サーバ１１では、図２１に示す通信処理を行って、貸出管理装置９から送信される貸出管理情報を貸出管理データベース１５に蓄積して記憶する。
【０１０９】
以上説明したように、第２の実施の形態の情報管理システム１００では、貸出管理装置９と情報管理サーバ１１の貸出管理データベース１５とによって、施設２３で利用する携帯コードリーダ端末３の貸出管理に関する処理を実行する。
【０１１０】
従って、施設２３内で利用する携帯コードリーダ端末３の貸出状況を、情報管理サーバ１１にて一元管理することが可能となる。
【０１１１】
〔第３の実施の形態〕
次に、本発明に係る第３の実施の形態を説明する。
図２３は、第３の実施の形態の情報管理システム２００の全体概要を示す図である。
【０１１２】
図３に示すように、第３の実施の形態の情報管理システム２００は、施設２３内にて利用される複数の携帯コードリーダ端末３（３ａ、３ｂ、３ｃ、３ｄ、３ｅ、・・・）と、施設２３内に複数設置されるアクセスポイント５（５ａ、５ｂ、５ｃ）と、施設２３内に設置される情報収集装置７及び貸出管理装置９と、情報収集装置７及び貸出管理装置９と施設２３の外部からインターネット等のネットワークを介して通信可能な情報管理サーバ１１と、施設２３の利用者が保持する携帯電話１９と、施設２３の利用者が保持する会員カード（ＩＣカード）２１と、から構成される。
【０１１３】
なお、携帯コードリーダ端末３、アクセスポイント５、情報収集装置７、貸出管理装置９、及び情報管理サーバ１１の各ハードウェア構成、機能については、第１及び第２の実施の形態と同様のものを利用し、同一の部分については説明を省略する。
【０１１４】
第３の実施の形態において、情報管理サーバ１１は、読取情報データベース１３、貸出管理データベース１５、及びクリップ情報データベース１７を有し、複数の施設に夫々設置されている情報収集装置７や貸出管理装置９と通信することにより、読取情報、貸出管理情報、及びクリップ情報等を管理する機能を有する。
【０１１５】
図２４は、クリップ情報データベース１７に蓄積記憶されるクリップ情報を説明する図である。
クリップ情報とは、商品のコード情報と、このコード情報を読み取ったユーザのユーザＩＤとを対応付けたものである。
【０１１６】
クリップ情報は、情報管理サーバ１１で一元管理されるだけでなく、各施設２３の情報収集装置７や貸出管理装置９に対して逐次フィードバックすることで、各店舗における貸出管理や商品管理に利用される。また、例えば個人に配信されるコンテンツとしても利用可能である。例えば、利用者が施設２３に出向いて携帯コードリーダ端末３を用いて収集した商品の情報（クリップ情報）を、自宅のパーソナルコンピュータから情報管理サーバ１１へアクセスしてダウンロードし、クリップ情報に基づいて商品のより詳細な情報を検討するといった利用方法が考えられる。
【０１１７】
次に、第３の実施の形態における、情報収集装置７の機能について図２５を参照して説明する。
図２５は、第３の実施の形態における情報収集装置７の機能を示すブロック図である。
図２５に示すように、情報収集装置７は、読取情報受信手段７０１、読取情報記憶手段７０２、読取情報フィルタ手段７０３、クリップ情報生成手段７０７、及びクリップ情報送信手段７０８を備える。
読取情報受信手段７０１、読取情報記憶手段７０２、及び読取情報フィルタ手段７０３については、第１の実施の形態の情報収集装置７における読取情報受信手段７０１、読取情報記憶手段７０２、読取情報フィルタ手段７０３と同一であるので同一の符号を付し、説明を省略する。
【０１１８】
クリップ情報生成手段７０７は、読取情報受信手段７０１にて受信した読取情報のうち、読取情報フィルタ手段７０３によってフィルタリングされた読取情報に、更にユーザＩＤを対応付けることによりクリップ情報を生成する。すなわち、ＣＰＵ７１は貸出管理データベース１５に記憶されている貸出管理情報を参照して、読取情報内の端末ＩＤに対応付けられているユーザＩＤを特定し、このユーザＩＤと読取情報とを対応付けることによりクリップ情報を生成する。
【０１１９】
クリップ情報送信手段７０８は、クリップ情報生成手段７０７によって生成されたクリップ情報をＲＡＭ７３のサーバＩＤメモリ７３１に登録されているサーバＩＤを有する情報管理サーバ１１に対して送信する。
【０１２０】
情報管理サーバ１１は、情報収集装置７から送信されるクリップ情報を受信すると、クリップ情報データベース１７に蓄積して記憶する。また、貸出管理装置９や情報収集装置７からの送信要求に応じて、貸出管理データベース１５の貸出管理情報やクリップ情報データベース１７のクリップ情報を送信することにより、情報管理システム１１全体で、貸出管理情報やクリップ情報を共有する。
【０１２１】
次に、情報管理システム２００の動作を説明する。
第３の実施の形態の情報管理システム２００では、第１の実施の形態の情報管理システム１と同様に、携帯コードリーダ端末３にて商品に付されたバーコードからコード情報を読み取り、このコード情報に端末ＩＤと読取ＩＤとを対応付けた読取情報を逐次アクセスポイント５を介して情報収集装置７に送信している。また、第２の実施の形態の情報管理システム１００と同様に、携帯コードリーダ端末３は貸出管理装置９、会員カード２１、携帯電話１９等を利用して貸出処理等が行われ、携帯コードリーダ端末３の端末ＩＤとユーザＩＤとが対応付けられた貸出管理情報が、情報管理サーバ１１の貸出管理データベース１５に蓄積して記憶されているものとする。
【０１２２】
このように読取情報と貸出管理情報とが、情報管理システム２００にて生成、管理されている状態で、情報収集装置７は図２６に示すクリップ情報生成処理を実行する。
図２６は、情報収集装置７の実行するクリップ情報生成処理の流れを説明する図である。
このクリップ情報生成処理を開始する際、情報収集装置７は、情報管理サーバ１１の貸出管理データベース１５から最新の貸出管理情報を取得しているものとする。
【０１２３】
クリップ情報生成処理において情報収集装置７は、図２６に示すように、アクセスポイント５から読取情報を受信すると（ステップＳ７１）、受信した読取情報はＲＡＭ７３の読取情報メモリ７３２に記憶する（ステップＳ７２）。そしてＣＰＵ７１は、読取情報メモリ７３２に記憶されている読取情報に重複する読取情報があるか否かを判定し（ステップＳ７３）、重複する場合は重複する二つ目以降の読取情報を削除する（ステップＳ７４）。更に、ＣＰＵ７１は貸出管理情報を参照し、読取情報に含まれる端末ＩＤを、この端末ＩＤに対応付けられているユーザＩＤに変換して、クリップ情報とする（ステップＳ７５）。すなわち、コード情報にユーザＩＤが対応付けられたクリップ情報が生成される。
【０１２４】
その後、情報収集装置７は、生成したクリップ情報をサーバＩＤメモリ７３１に登録されているサーバＩＤを有する情報管理サーバ１１に対して送信する（ステップＳ７６）。
情報管理サーバ１１では、情報収集装置７からクリップ情報を受信すると、クリップ情報データベース１７に蓄積して記憶する。
【０１２５】
以上説明したように、第３の実施の形態の情報管理システム２００によれば、生成した読取情報と貸出管理情報とから、携帯コードリーダ端末３にて読み取ったコード情報とユーザＩＤとを対応付けたクリップ情報を生成し、そのクリップ情報を情報管理サーバ１１のクリップ情報データベースにて一元管理する。
【０１２６】
従って、携帯コードリーダ端末３の貸出状況を反映したクリップ情報を生成し、蓄積管理することができる。
クリップ情報データベース１７に蓄積されたクリップ情報は、例えば、携帯コードリーダ端末３のユーザが自宅のコンピュータからユーザＩＤを用いて情報管理サーバ１１にログインすることにより、クリップ情報を簡単に読み出せるようにすれば、施設２３でコード情報を読み取った商品についての詳細を検討する場合等に利用できる。
【０１２７】
なお、上述の第３の実施の形態においては、クリップ情報生成処理を情報収集装置７にて実行する例を示したが、これに限るものではなく、例えばクリップ情報生成処理は情報管理サーバ１１で実行するようにしてもよい。
【０１２８】
以上、添付図面を参照しながら本発明に係る情報管理システムの好適な実施形態について説明したが、前述した実施の形態に限定されない。当業者であれば、特許請求の範囲に記載された技術的思想の範疇内において各種の変更例または修正例に想到し得ることは明らかであり、それらについても当然に本発明の技術的範囲に属するものと了解される。
【図面の簡単な説明】
【０１２９】
【図１】第１の実施の形態に係る情報管理システム１の全体概要を示す図
【図２】読取情報データベース１３に蓄積される読取情報の例を示す図
【図３】携帯コードリーダ端末３のハードウェア構成図
【図４】携帯コードリーダ端末３のＲＡＭ３３の内容を示す図
【図５】携帯コードリーダ端末３の機能ブロック図
【図６】アクセスポイント５のハードウェア構成図
【図７】アクセスポイント５のＲＡＭ５３の内容を示す図
【図８】アクセスポイント５の機能ブロック図
【図９】情報収集装置７（情報管理サーバ１１）のハードウェア構成図
【図１０】情報収集装置７のＲＡＭ７３の内容を示す図
【図１１】情報収集装置７の機能ブロック図
【図１２】情報管理サーバ１１の機能ブロック図
【図１３】携帯コードリーダ端末３において実行されるコード読取処理の流れを説明するフローチャート
【図１４】アクセスポイント５において実行される読取情報送受信処理の流れを説明するフローチャート
【図１５】情報収集装置７において実行されるフィルタリング処理の流れを説明するフローチャート
【図１６】第２の実施の形態の情報管理システム１００の全体概要を示す図
【図１７】貸出管理データベース１５に蓄積される貸出管理情報の例を示す図
【図１８】貸出管理装置９のハードウェア構成図
【図１９】貸出管理装置９の機能ブロック図
【図２０】携帯電話１９を利用してユーザＩＤを取得する場合に、貸出管理装置９において実行される第１の貸出処理及び返却処理の流れを説明するフローチャート
【図２１】情報管理サーバ１１にて実行される貸出管理装置９との通信処理の流れを説明するフローチャート
【図２２】会員カード２１を利用してユーザＩＤを取得する場合に、貸出管理装置９において実行される第２の貸出処理の流れを説明するフローチャート
【図２３】第３の実施の形態の情報管理システム２００の全体概要を示す図
【図２４】クリップ情報データベース１７に蓄積記憶されるクリップ情報を説明する図
【図２５】情報収集装置７の機能ブロック図
【図２６】情報収集装置７の実行するクリップ情報生成処理の流れを説明するフローチャート
【符号の説明】
【０１３０】
１・・・・・・情報管理システム（第１の実施の形態）
３・・・・・・携帯コードリーダ端末３
３５・・・・・ＩＣタグ
５・・・・・・アクセスポイント
７・・・・・・情報収集装置
１１・・・・・情報管理サーバ
１３・・・・・読取情報データベース
１００・・・・情報管理システム（第２の実施の形態）
９・・・・・・貸出管理装置
１５・・・・・貸出管理データベース
１９・・・・・携帯電話
２１・・・・・会員カード（ＩＣカード）
２００・・・・情報管理システム（第３の実施の形態）
１７・・・・・クリップ情報データベース
【図１】
2008217411.tif 000003
【図２】
2008217411.tif 000004
【図３】
2008217411.tif 000005
【図４】
2008217411.tif 000006
【図５】
2008217411.tif 000007
【図６】
2008217411.tif 000008
【図７】
2008217411.tif 000009
【図８】
2008217411.tif 000010
【図９】
2008217411.tif 000011
【図１０】
2008217411.tif 000012
【図１１】
2008217411.tif 000013
【図１２】
2008217411.tif 000014
【図１３】
2008217411.tif 000015
【図１４】
2008217411.tif 000016
【図１５】
2008217411.tif 000017
【図１６】
2008217411.tif 000018
【図１７】
2008217411.tif 000019
【図１８】
2008217411.tif 000020
【図１９】
2008217411.tif 000021
【図２０】
2008217411.tif 000022
【図２１】
2008217411.tif 000023
【図２２】
2008217411.tif 000024
【図２３】
2008217411.tif 000025
【図２４】
2008217411.tif 000026
【図２５】
2008217411.tif 000027
【図２６】
2008217411.tif 000028